(57)【特許請求の範囲】
【請求項１】
複数番組の録画予約が設定された場合に、録画を終了した番組の内容をその終了順に記憶する録画予約終了番組記憶手段と、
この録画予約終了番組記憶手段に記憶された録画予約終了番組の内容を、録画終了順に並べて画面表示する録画予約終了画面表示手段とを備え、
前記録画予約終了番組記憶手段は、記憶する番組の内容として、その番組の頭出しを行うためのＶＩＳＳボタンの操作回数を併せて記憶し、前記録画予約終了画面表示手段は、前記録画予約終了番組記憶手段に記憶されたその番組の頭出しを行うためのＶＩＳＳボタンの操作回数を併せて表示することを特徴とする録画予約終了画面表示装置。
【請求項２】
前記録画予約終了番組記憶手段は、記憶するＶＩＳＳボタンの操作回数として、設定された全ての番組の録画が終了した時点では、録画の終了順とは逆の順に１からの連番を対応させて記憶するとともに、前記ＶＩＳＳボタンが実際に操作されて任意の録画番組の頭出しが行われた場合には、その頭出しが行われた番組の操作回数を１に更新し、その前後に記憶されている番組の操作回数を、頭出しが行われた番組の操作回数である１を基準として適正な操作回数に更新して記憶し、
前記録画予約終了画面表示手段は、前記録画予約終了番組記憶手段に更新記憶されたその番組の頭出しを行うためのＶＩＳＳボタンの操作回数を併せて表示することを特徴とする請求項１記載の録画予約終了画面表示装置。
【発明の詳細な説明】
【０００１】
【発明の属する技術分野】
本発明は、複数番組の録画予約が可能なビデオカセットレコーダ（ＶＣＲ）の録画予約終了画面表示装置に関する。
【０００２】
【従来の技術】
従来のＶＣＲでは、番組の録画予約を行った場合に、その番組が本当に録画予約されているかを確認できるように、テレビ画面に録画予約した番組の一覧が表示できるようになっているものがある。
しかしながら、これらの表示はあくまでこれから録画しようとする番組の一覧であって、すでに録画を終了した番組の内容は、その録画予約メニューから消去され、画面には全く表示されないようになっている。
【０００３】
【発明が解決しようとする課題】
そのため、例えば連休の旅行などで複数の番組を録画予約した場合に、どの順番で番組が録画されたかを、古い新聞の番組欄を見直して確認するか、使用者自身が覚えておく必要があった。また、録画した番組の中で見たい番組の頭出しを行う場合に、ＶＩＳＳボタンを何回押せばよいかといったことも、使用者自身が録画内容を思い出しながら、押す回数を決定する必要があった。そのため、ＶＩＳＳボタンの押す回数を間違って、見たい番組とは違う別の番組の頭出しを行ってしまうといった操作ミスも発生していた。
【０００４】
本発明はこのような問題点を解決すべく創案されたもので、その目的は、録画を終了した番組の内容を録画予約終了画面に表示することにより、録画予約を終了した番組の中から見たい番組の頭出しを素早く、かつ確実に行うことのできる録画予約終了画面表示装置を提供することにある。
【０００５】
【課題を解決するための手段】
上記課題を解決するため、本発明の録画予約終了画面表示装置は、複数番組の録画予約が設定された場合に、録画を終了した番組の内容をその終了順に記憶する録画予約終了番組記憶手段と、この録画予約終了番組記憶手段に記憶された録画予約終了番組の内容を、録画終了順に並べて画面表示する録画予約終了画面表示手段とを備え、前記録画予約終了番組記憶手段は、記憶する番組の内容として、その番組の頭出しを行うためのＶＩＳＳボタンの操作回数を併せて記憶し、前記録画予約終了画面表示手段は、前記録画予約終了番組記憶手段に記憶されたその番組の頭出しを行うためのＶＩＳＳボタンの操作回数を併せて表示する構成としている。また、本発明の録画予約終了画面表示装置は、上記構成において、前記録画予約終了番組記憶手段は、記憶するＶＩＳＳボタンの操作回数として、設定された全ての番組の録画が終了した時点では、録画の終了順とは逆の順に１からの連番を対応させて記憶するとともに、前記ＶＩＳＳボタンが実際に操作されて任意の録画番組の頭出しが行われた場合には、その頭出しが行われた番組の操作回数を１に更新し、その前後に記憶されている番組の操作回数を、頭出しが行われた番組の操作回数である１を基準として適正な操作回数に更新して記憶し、前記録画予約終了画面表示手段は、前記録画予約終了番組記憶手段に更新記憶されたその番組の頭出しを行うためのＶＩＳＳボタンの操作回数を併せて表示するように構成している。
【０００６】
【発明の実施の形態】
以下、本発明の実施の形態について図面を参照して説明する。
図１は、本発明の録画予約終了画面表示装置を搭載したＶＣＲの主要部の電気的構成を示すブロック図である。
【０００７】
図において、１はアンテナ端子、２はチューナ回路、３は装填されたビデオカセット、４は装填されたビデオカセット３のビデオテープにビデオ信号を記録するとともに、記録したビデオ信号を再生して出力するビデオ信号処理回路、５はＯＳＤ回路、６はテレビジョン受像機等のモニタ、７はビデオカセット３のビデオテープを走行駆動する駆動回路、８はビデオテープにＶＩＳＳ信号（頭出し信号）等を含むコントロール信号を記録するとともに、記録したコントロール信号を検出するコントロール信号記録／検出回路、９は図示しないＶＩＳＳボタン等を備えたキー入力部、１０はＶＣＲ全体の動作制御を行うシステムコントローラであり、これらの回路はＶＣＲに従来から搭載されている回路である。
【０００８】
ここで、ＯＳＤ回路５は、３原色とフランバック（ＦＢ）信号とで画像信号を作成し、ビデオ信号に変換して出力する回路であって、内部で作成した画像ビデオ信号とビデオ信号処理回路４からのビデオ信号とを適宜切り換えてモニタ６に出力する。または、内部で作成した画像ビデオ信号のみをモニタ６の画面全体に表示するオンスクリーン表示を行う回路である。因みに、ＯＳＤ回路５は、システムコントローラ１０とのインターフェイスをとるためのインターフェイス回路、画像データを記憶するメモリ、メモリに記憶された画像データに従って画像を作成する画像作成回路、画像作成回路から出力されるＲＧＢ信号とＦＢ信号とに基づいて画像信号を作成し、ビデオ信号に変換するカラーエンコーダ、及びカラーエンコーダの出力とビデオ信号処理回路４からのビデオ信号とを適宜切り換えて出力する切換スイッチで構成されている。
【０００９】
本発明では、上記構成において、後述する録画予約終了画面をモニタ６の画面上に表示する録画予約終了画面表示モードキーをキー入力部９に備えるとともに、複数番組の録画予約が設定された場合に、録画を終了した番組の内容をその終了順に記憶する録画終了番組記憶部１１を備えた構成としている。なお、請求項１に記載の録画予約終了画面表示手段は、本実施形態では、システムコントローラ１０とＯＳＤ回路５とによって実現されている。
【００１０】
次に、上記構成のＶＣＲにおいて、まず録画を終了した番組の内容をその終了順に録画終了番組記憶部１１に記憶する動作について、図２に示すフローチャート、及び図３ないし図６に示す録画予約終了画面例を参照して説明する。
本実施形態では、図示しない録画予約のモードキーが操作されて、例えば４種類の番組の録画予約が設定された場合を例に挙げて説明する。
【００１１】
図示しない録画予約のモードキーが操作されて、４種類の番組の録画予約が設定されると、システムコントローラ１０では、まずＶＩＳＳボタンの操作回数を「０」に設定して（ステップＳ１）、予約された番組の録画終了を待つ（ステップＳ２）。そして、１つ目の録画が終了すると、ＶＩＳＳボタンの操作回数を「１」に設定するとともに（ステップＳ３）、そのＶＩＳＳボタンの操作回数「１」を、録画を終了した番組の内容（すなわち、本実施形態では日付、時間、チャンネル（ＣＨ）といった内容）とともに録画終了番組記憶部１１に記憶する（ステップＳ４）。
【００１２】
この後、録画終了番組記憶部１１に先行の録画内容があるか否かの確認を行う（ステップＳ５）。この場合、録画された番組は最初（すなわち、録画予約時間が最も早い番組）であるので、ステップＳ７へと動作を進めて、次に録画予約された番組がまだ残っているか否かの確認を行う。この場合には、録画予約された番組がまだ残っているので、再びステップＳ２へ戻って、予約された番組の録画終了待ちとなる。
【００１３】
この段階で録画終了番組記憶部１１に記憶されている内容を、ＯＳＤ回路５を通じてモニタ６に表示すると、図３に示す録画予約終了画面となる。すなわち、録画された番組の内容はＮＯ．  １の欄に表示（表示部分に＊マークを付している）され、ＶＩＳＳの操作回数の項目には「１」が表示される。
【００１４】
次に、ステップＳ２において２つ目の録画が終了すると、ＶＩＳＳボタンの操作回数を「１」に設定するとともに（ステップＳ３）、そのＶＩＳＳボタンの操作回数「１」を、録画を終了した番組の内容とともに録画終了番組記憶部１１に記憶する（ステップＳ４）。
この後、録画終了番組記憶部１１に先行の録画内容があるか否かの確認を行う（ステップＳ５）。この場合、録画された番組は２つ目（すなわち、録画予約時間が２番目に早い番組）であり、先行の録画内容があるので、その先行の録画内容のうち、ＶＩＳＳボタンの操作回数の項目の数値を１繰り上げて更新記憶する（ステップＳ６）。
【００１５】
この段階で録画終了番組記憶部１１に記憶されている内容を、ＯＳＤ回路５を通じてモニタ６に表示すると、図４に示す録画予約終了画面となる。すなわち、最初に録画された番組の内容はそのままＮＯ．  １の欄に表示されるが、ＶＩＳＳの操作回数の項目には「２」が表示される。また、２つ目に録画された番組の内容はＮＯ．  ２の欄に表示され、ＶＩＳＳの操作回数の項目には「１」が表示される。次に、ステップＳ７へと動作を進めて、次に録画予約された番組がまだ残っているか否かの確認を行う。この場合には、録画予約された番組がまだ残っているので、再びステップＳ２へ戻って、予約された番組の録画終了待ちとなる。
【００１６】
次に、ステップＳ２において３つ目の録画が終了すると、ＶＩＳＳボタンの操作回数を「１」に設定するとともに（ステップＳ３）、そのＶＩＳＳボタンの操作回数「１」を、録画を終了した番組の内容とともに録画終了番組記憶部１１に記憶する（ステップＳ４）。
この後、録画終了番組記憶部１１に先行の録画内容があるか否かの確認を行う（ステップＳ５）。この場合、録画された番組は３つ目（すなわち、録画予約時間が３番目に早い番組）であり、先行の録画内容があるので、その先行の録画内容のうち、ＶＩＳＳボタンの操作回数の項目の数値を１ずつ繰り上げて更新記憶する（ステップＳ６）。
【００１７】
この段階で録画終了番組記憶部１１に記憶されている内容を、ＯＳＤ回路５を通じてモニタ６に表示すると、図５に示す録画予約終了画面となる。すなわち、最初に録画された番組の内容はそのままＮＯ．  １の欄に表示されるが、ＶＩＳＳの操作回数の項目には「３」が表示され、２つ目に録画された番組の内容はそのままＮＯ．  ２の欄に表示されるが、ＶＩＳＳの操作回数の項目には「２」が表示される。また、３つ目に録画された番組の内容はＮＯ．  ３の欄に表示され、ＶＩＳＳの操作回数の項目には「１」が表示される。
【００１８】
次に、ステップＳ７へと動作を進めて、次に録画予約された番組がまだ残っているか否かの確認を行う。この場合には、録画予約された番組がまだ残っているので、再びステップＳ２へ戻って、予約された番組の録画終了待ちとなる。
次に、ステップＳ２において４つ目の録画が終了すると、ＶＩＳＳボタンの操作回数を「１」に設定するとともに（ステップＳ３）、そのＶＩＳＳボタンの操作回数「１」を、録画を終了した番組の内容とともに録画終了番組記憶部１１に記憶する（ステップＳ４）。
【００１９】
この後、録画終了番組記憶部１１に先行の録画内容があるか否かの確認を行う（ステップＳ５）。この場合、録画された番組は４つ目（すなわち、録画予約時間が最も遅い番組）であり、先行の録画内容があるので、その先行の録画内容のうち、ＶＩＳＳボタンの操作回数の項目の数値を１ずつ繰り上げて更新記憶する（ステップＳ６）。
【００２０】
この段階で録画終了番組記憶部１１に記憶されている内容を、ＯＳＤ回路５を通じてモニタ６に表示すると、図６に示す録画予約終了画面となる。すなわち、最初に録画された番組の内容はそのままＮＯ．  １の欄に表示されるが、ＶＩＳＳの操作回数の項目には「４」が表示され、２つ目に録画された番組の内容はそのままＮＯ．  ２の欄に表示されるが、ＶＩＳＳの操作回数の項目には「３」が表示され、３つ目に録画された番組の内容はそのままＮＯ．  ３の欄に表示されるが、ＶＩＳＳの操作回数の項目には「２」が表示される。また、４つ目に録画された番組の内容はＮＯ．  ４の欄に表示され、ＶＩＳＳの操作回数の項目には「１」が表示される。
【００２１】
次に、ステップＳ７へと動作を進めて、次に録画予約された番組がまだ残っているか否かの確認を行う。この場合には、録画予約された番組が残っていないので、この時点で録画終了番組の記憶動作を終了する。
【００２２】
このようにして、全ての録画予約が実行された後、使用者がキー入力部９の図示しない録画予約終了画面表示モードキーを操作すると、モニタ６の画面上には、図６に示す録画予約終了画面が表示されることになる。すなわち、図６に示す録画予約終了画面は、ＶＩＳＳボタンを４回押して巻き戻しモードとすればＮＯ．  １の番組の頭出しが行え、ＶＩＳＳボタンを３回押して巻き戻しモードとすればＮＯ．  ２の番組の頭出しが行え、ＶＩＳＳボタンを２回押して巻き戻しモードとすればＮＯ．  ３の番組の頭出しが行え、ＶＩＳＳボタンを１回押して巻き戻しモードとすればＮＯ．  ４の番組の頭出しが行えることを示す内容となっている。
【００２３】
ここで、この図６に示す録画予約終了画面を利用して、使用者が例えばＮＯ．  ３の欄に表示されている番組を見るために、ＶＩＳＳボタンを２回押して巻き戻しモードとし、ＮＯ．  ３の番組の頭出しを行ってその番組を再生すると、システムコントローラ１０では、このＶＩＳＳボタンの操作回数に基づいて、録画終了番組記憶部１１に記憶されている内容のうち、ＶＩＳＳボタンの操作回数の項目の数値の更新処理を行う。この更新処理を、図７に示すフローチャートを参照して説明する。
【００２４】
すなわち、システムコントローラ１０では、その頭出しが行われた番組の操作回数を１に更新し（ステップＳ１１）、その前後に記憶されている番組の操作回数を、頭出しが行われた番組の操作回数である１を基準として適正な操作回数（すなわち、１ずつ繰り上げる、又は１ずつ繰り下げる）に更新して記憶する処理を行う（ステップＳ１２〜Ｓ１４）。
【００２５】
具体的には、図８に示すように、ＮＯ．  ３の欄に表示されている番組の頭出しが行われた結果、ＮＯ．  ３の欄のＶＩＳＳボタンの操作回数が「１」に設定され（ステップＳ１１）、それよりも上位の欄（ＮＯ．  １及びＮＯ．  ２）のＶＩＳＳボタンの操作回数が、このＮＯ．  ３の欄のＶＩＳＳボタンの操作回数「１」を基準として、１ずつ繰り上がる（ステップＳ１２，Ｓ１３）。その結果、ＮＯ．  ２の欄のＶＩＳＳボタンの操作回数が「２」に更新され、ＮＯ．  １の欄のＶＩＳＳボタンの操作回数が「３」に更新される。
【００２６】
一方、ＮＯ．  ３の欄よりも下位の欄（ＮＯ．  ４）のＶＩＳＳボタンの操作回数は、このＮＯ．  ３の欄のＶＩＳＳボタンの操作回数「１」を基準として、１ずつ繰り下がる（ステップＳ１２，Ｓ１４）。ただし、この場合「０」は無視するものとする。従って、ＮＯ．  ４の欄のＶＩＳＳボタンの操作回数は「−１」となる。なお、ＮＯ．  ５の欄にも番組の内容が記憶されている場合には、このＮＯ．  ５の欄のＶＩＳＳボタンの操作回数は「−２」となる。
【００２７】
これにより、使用者は、図６に示す録画予約終了画面を利用して、頭出しを何度行っても、録画予約終了画面にはその都度ＶＩＳＳボタンの操作回数が適正回数に更新されて表示（例えば、図８参照）されることから、常にその更新された録画予約終了画面を見ながら、素早くかつ確実に所望の番組の頭出しが行えるものである。
ただし、この録画予約されたビデオカセット３がイジェクトされた場合には、録画終了番組記憶部１１に記憶されている内容をクリアする。
【００２８】
なお、上記実施形態では、ＶＩＳＳボタンの操作回数の表示を、巻き戻しの方向への操作回数を正の数値で表し、早送りの方向への操作回数を負の数値で表しているが、この表示方法は正負反対でもよく、また別の表示方法でもよい。例えば、数値の前に「ＵＰ」、「ＤＯＷＮ」といった表示を付してもよいし、「巻き戻し方向」「早送り方向」といった文字を付してもよい。また、頭出しの操作手順を表示してもよい。
また、上記実施形態では、録画終了番組記憶部１１をＯＳＤ回路５とは別個に設けているが、ＯＳＤ回路５の内部メモリの所定の領域を録画終了番組記憶部１１として利用することが可能である。
【００２９】
【発明の効果】
本発明の録画予約終了画面表示装置は、複数番組の録画予約が設定された場合に、録画を終了した番組の内容をその終了順に記憶する録画予約終了番組記憶手段と、この録画予約終了番組記憶手段に記憶された録画予約終了番組の内容を、録画終了順に並べて画面表示する録画予約終了画面表示手段とを備え、前記録画予約終了番組記憶手段は、記憶する番組の内容として、その番組の頭出しを行うためのＶＩＳＳボタンの操作回数を併せて記憶し、前記録画予約終了画面表示手段は、前記録画予約終了番組記憶手段に記憶されたその番組の頭出しを行うためのＶＩＳＳボタンの操作回数を併せて表示するように構成としたので、複数番組の録画予約の終了後、その録画予約終了画面を見ながら、見たい番組の頭出しを素早く、かつ確実に行うことができる。また、本発明の記載の録画予約終了画面表示装置は、上記構成において、前記録画予約終了番組記憶手段は、記憶するＶＩＳＳボタンの操作回数として、設定された全ての番組の録画が終了した時点では、録画の終了順とは逆の順に１からの連番を対応させて記憶するとともに、前記ＶＩＳＳボタンが実際に操作されて任意の録画番組の頭出しが行われた場合には、その頭出しが行われた番組の操作回数を１に更新し、その前後に記憶されている番組の操作回数を、頭出しが行われた番組の操作回数である１を基準として適正な操作回数に更新して記憶し、前記録画予約終了画面表示手段は、前記録画予約終了番組記憶手段に更新記憶されたその番組の頭出しを行うためのＶＩＳＳボタンの操作回数を併せて表示するように構成したので、複数番組の録画予約の終了後に、見たい番組の頭出しが行われても、録画予約終了画面にはその状態からのＶＩＳＳボタンの操作回数が表示されるので、見たい番組の頭出しを何度でも素早く、かつ確実に行うことができる。
【図面の簡単な説明】
【図１】本発明の録画予約終了画面表示装置を搭載したＶＣＲの主要部の電気的構成を示すブロック図である。
【図２】録画を終了した番組の内容をその終了順に録画終了番組記憶部に記憶する動作を説明するためのフローチャートである。
【図３】モニタに表示される録画予約終了画面の一例を示す図である。
【図４】モニタに表示される録画予約終了画面の一例を示す図である。
【図５】モニタに表示される録画予約終了画面の一例を示す図である。
【図６】モニタに表示される録画予約終了画面の一例を示す図である。
【図７】ＶＩＳＳボタンの操作回数の項目の数値の更新処理を説明するためのフローチャートである。
【図８】頭出しが行われた場合のモニタに表示される録画予約終了画面の一例を示す図である。
【符号の説明】
５  ＯＳＤ回路
６  モニタ
９  キー入力部
１０  システムコントローラ
１１  録画終了番組記憶部
【図１】
0003620033.tif 000002
【図２】
0003620033.tif 000003
【図３】
0003620033.tif 000004
【図４】
0003620033.tif 000005
【図５】
0003620033.tif 000006
【図６】
0003620033.tif 000007
【図７】
0003620033.tif 000008
【図８】
0003620033.tif 000009